(57)【特許請求の範囲】
【請求項１】
マニュアルトランスミッションを有する車両に搭載され、前記車両の車速に対応して予め設定されている目標加速度を、実際の加速度が超えるときには、前記目標加速度に実際の加速度が近付くようにアクセル開度の調整を行う制御手段を有する車両の制御装置であって、
前記制御手段は、各ギヤ段において前記車両のエンジンの回転速度が所定の値を超えるときには、前記目標加速度を引き下げその後横ばい状態に制御する、
ことを特徴とする車両の制御装置。
【請求項２】
請求項１記載の車両の制御装置であって、
前記制御手段は、車両における方向指示器の操作または定速走行制御またはＡＢＳ制御が実施されているときには、アクセル開度の調整は行わない、
ことを特徴とする車両の制御装置。
【請求項３】
請求項１または２記載の車両の制御装置を有することを特徴とする車両。
【請求項４】
マニュアルトランスミッションを有する車両に搭載され、前記車速に対応して予め設定されている目標加速度を、実際の加速度が超えるときには、前記目標加速度に実際の加速度が近付くようにアクセル開度の調整を行う制御ステップを有する車両の制御方法であって、
前記制御ステップの処理は、各ギヤ段において前記車両のエンジンの回転速度が所定の値を超えるときには、前記目標加速度を引き下げその後横ばい状態に制御するステップを有する、
ことを特徴とする車両の制御方法。
【請求項５】
コンピュータに、
マニュアルトランスミッションを有する車両に搭載され、前記車速に対応して予め設定されている目標加速度を、実際の加速度が超えるときには、前記目標加速度に実際の加速度が近付くようにアクセル開度の調整を行う車両の制御機能を実現させるプログラムであって、
前記制御機能は、各ギヤ段において前記車両のエンジンの回転速度が所定の値を超えるときには、前記目標加速度を引き下げその後横ばい状態に制御する機能である、
ことを特徴とするプログラム。
【発明の詳細な説明】
【技術分野】
【０００１】
本発明は、車両の制御装置、車両、車両の制御方法、およびプログラムに関する。
【背景技術】
【０００２】
自動車の燃費の良否は、自動車自体の性能による他に、運転者の運転の仕方によるところが大きい。特に、マニュアルトランスミッションの自動車では、オートマチックトランスミッションの自動車に比べ、ギヤチェンジのタイミング（これをシフトタイミングと称する）が運転者の操作に任されており、シフトタイミングの如何によって、燃費の良否の差が大きくなる。
【０００３】
そこで、たとえば特許文献１では、運転者に対し、省燃費に有効なシフトタイミングを知らせる装置が開示されている。
【先行技術文献】
【特許文献】
【０００４】
【特許文献１】特開２００６−１０３３９３号公報
【発明の概要】
【発明が解決しようとする課題】
【０００５】
上述の特許文献１の装置では、省燃費に有効なシフトタイミングを計算するために、車両に関する様々なパラメータを必要とする。このパラメータとして、たとえばエンジン回転速度、車速、エンジン負荷などが必要になる。さらに、これらのパラメータに基づいて、ギア比、車両質量などのデータの算出が必要になる。このため、特許文献１の装置を有する車両では、各種のセンサが必要になる。
【０００６】
また、上述したデータの算出のためには、車両のエンジンの馬力などの諸元データを記憶する必要がある。このように、各種センサを設置すると共に、データ算出処理、および諸元データの記憶を多数の車種毎に行うことはコストおよび工数の両面から好ましくないという第一の問題点がある。特に、多数の車種を有すると共に、貨物の積載量によって車体総重量が大きく変化するトラックなどでは、センサ種類および諸元データ数は膨大であり、第一の問題点はさらに顕著になる。
【０００７】
また、特許文献１の装置では、シフトタイミングをモニタに表示したり、あるいは音声で運転者に知らせるようにしている。このとき、前方を注視している運転者がモニタの表示を見落としたり、周囲の騒音によりシフトタイミングを知らせる音声を聞き漏らす可能性は低くない。このため、省燃費に有効なシフトタイミングが運転者に的確に伝達されないという第二の問題点がある。
【０００８】
本発明は、このような背景の下に行われたものであって、少ない種類のパラメータにより燃費を節約できるシフトタイミングを計算し、計算したシフトタイミングを運転者に的確に伝達することができる車両の制御装置、車両、車両の制御方法、およびプログラムを提供することを目的とする。
【課題を解決するための手段】
【０００９】
本発明のひとつの観点は、車両の制御装置としての観点である。本発明の車両の制御装置は、マニュアルトランスミッションを有する車両に搭載され、車両の車速に対応して予め設定されている目標加速度を、実際の加速度が超えるときには、目標加速度に実際の加速度が近付くようにアクセル開度の調整を行う制御手段を有する車両の制御装置であって、制御手段は、各ギヤ段において車両のエンジンの回転速度が所定の値を超えるときには、目標加速度を引き下げその後横ばい状態に制御するものである。
【００１０】
このときに、制御手段は、車両における方向指示器の操作または定速走行制御またはＡＢＳ制御が実施されているときには、アクセル開度の調整は行わないようにできる。
【００１１】
本発明の他の観点は、車両としての観点である。本発明の車両は、本発明の車両の制御装置を有するものである。
【００１２】
本発明のさらに他の観点は、車両の制御方法としての観点である。本発明の車両の制御方法は、マニュアルトランスミッションを有する車両に搭載され、車速に対応して予め設定されている目標加速度を、実際の加速度が超えるときには、目標加速度に実際の加速度が近付くようにアクセル開度の調整を行う制御ステップを有する車両の制御方法であって、制御ステップの処理は、各ギヤ段において車両のエンジンの回転速度が所定の値を超えるときには、目標加速度を引き下げその後横ばい状態に制御するステップを有するものである。
【００１３】
本発明のさらに他の観点は、プログラムとしての観点である。本発明のプログラムは、コンピュータに、マニュアルトランスミッションを有する車両に搭載され、車速に対応して予め設定されている目標加速度を、実際の加速度が超えるときには、目標加速度に実際の加速度が近付くようにアクセル開度の調整を行う車両の制御機能を実現させるプログラムであって、制御機能は、各ギヤ段において車両のエンジンの回転速度が所定の値を超えるときには、目標加速度を引き下げその後横ばい状態に制御する機能である。
【発明の効果】
【００１４】
本発明によれば、少ない種類のパラメータにより燃費を節約できるシフトタイミングを計算し、計算したシフトタイミングを運転者に的確に伝達することができる。
【図面の簡単な説明】
【００１５】
【図１】本発明の実施の形態の車両の制御装置のブロック構成図である。
【図２】図１の目標加速度記憶部に記憶されている車速と目標加速度との関係の一例を示す図である。
【図３】図１の目標加速度補正部に記憶されているエンジン回転速度とゲインとの関係の一例を示す図である。
【図４】図１のアクセル開度計算部の動作を示すフローチャートである。
【図５】図１の制御装置による制御結果を示す図であり、車速と加速度とエンジン回転速度との関係を示す図である。
【発明を実施するための形態】
【００１６】
（概要）
本発明の実施の形態の制御装置１は、マニュアルトランスミッションを有する車両に搭載されるものである。図１に示す制御装置１は、基本的には、車両の車速に対応して予め設定されている目標加速度を、実際の加速度が超えるときには、目標加速度に実際の加速度が近付くようにアクセル開度の調整を行う。このときに、制御装置１は、車両のエンジンの回転速度が所定の値を超えるときには、目標加速度を引き下げるように制御する。これによれば、いわゆる「ローで引っ張る」と言われているような、ギヤ比が大きいギヤ段数で、高いエンジン回転速度を維持したままで、車両の車速を高めるような運転を運転者が行わないようにさせることができる。
【００１７】
また、制御装置１が目標加速度を引き下げるように制御することで、加速中の車両は、加速度が急に抜けたような挙動をとる。運転者は、このような挙動を体感し、シフトタイミングの到来を確実に知ることができる。
【００１８】
また、制御装置１は、車両の方向指示器の操作、オートクルーズと呼ばれる一定速度で自動的に走行する機能による定速走行、またはＡＢＳ(Anti lock Breaking System)の制御（すなわちスリップの検出）が行われているときには、アクセル開度の制御は不適切であるとして判断し、アクセル開度の制御を行わないようにする。
【００１９】
（構成）
制御装置１は、コンピュータであり、ＣＰＵ（Central Processing Unit）、ＡＳＩＣ（Application Specific Integrated Circuit）、マイクロプロセッサ（マイクロコンピュータ）、ＤＳＰ（Digital Signal Processor）などにより構成され、内部に、演算部、メモリ、およびＩ／Ｏ（Input/Output）ポートなどを有する。制御装置１によって実行されるプログラムは、制御装置１の内部の不揮発性のメモリにあらかじめ記憶しておくことで、コンピュータである制御装置１にあらかじめインストールしておくことができる。制御装置１がプログラムを実行すると、アクセル開度計算部（請求項でいう制御手段）１０、加速度比較部１１、加速度算出部１２、目標加速度補正部１３、および目標加速度記憶部１４の機能が実現される。
【００２０】
アクセル開度計算部１０は、不図示のアクセルペダルセンサから出力されるアクセルペダルの踏み込み量などのアクセルぺダル操作情報、加速度比較部１１から出力される目標加速度と実際の加速度との差分情報、不図示の方向指示器スイッチの操作、オートクルーズスイッチの操作、またはＡＢＳの制御などのアクセル制御解除情報、および不図示のアクセル制御のスイッチの操作によるアクセル制御のＯＮ／ＯＦＦ情報にしたがって、アクセル開度制御指示をエンジンＥＣＵ(Electric Control Unit)１５に対して行う。エンジンＥＣＵ１５は、アクセル開度制御指示に基づいて不図示のエンジンを制御する。
【００２１】
ここで、アクセル制御解除情報について説明すると、たとえば、方向指示器が操作されている状況は、追い越しのための車線変更など、運転者が大きな加速度を車両に要求している状況である。このような状況下では、目標加速度を無視して運転者の要求どおりの加速度で車両を加速させることがよい。また、オートクルーズが働いている期間は、加速も減速も行われないため、目標加速度を無視してオートクルーズの要求どおりに車両を走行させることがよい。また、ＡＢＳなどが車輪のスリップを検出したときには、スリップ脱出のために、エンジン回転速度を上げる必要が生じるので、目標加速度を無視して運転者の要求どおりのアクセル開度とすることがよい。このように、アクセル制御を解除すべき操作または制御が実施されているか否かを示す情報がアクセル制御解除情報である。
【００２２】
加速度比較部１１は、目標加速度補正部１３から出力される補正後の目標加速度と、加速度算出部１２が算出した実際の加速度とを比較し、その差分の情報をアクセル開度計算部１０に伝達する。
【００２３】
加速度算出部１２は、不図示の車速センサから出力される車両の車速情報を微分するなどによって車両の加速度を算出するものである。加速度算出部１２が算出した加速度情報は、加速度比較部１１に伝達される。
【００２４】
目標加速度補正部１３は、エンジン回転速度に対して予め定められているゲインにより、目標加速度記憶部１４が記憶している車速に対して予め定められている目標加速度を補正するものである。なお、目標加速度補正部１３は、エンジン回転速度に対して予め定められているゲインを記憶するためのメモリを有し、このメモリは、制御装置１の電源がＯＦＦ状態であっても記憶内容を保持することができる。なお、このメモリは、コンピュータである制御装置１が有する不揮発性のメモリの一部を利用することができる。
【００２５】
目標加速度記憶部１４は、車速に対して予め定められている目標加速度を記憶するためのメモリであり、制御装置１の電源がＯＦＦ状態であっても記憶内容を保持することができる。なお、目標加速度は、車両のメーカ側が車種毎にテスト走行またはシミュレーションなどを行って適切な値を決定したものであり、この値が目標加速度として目標加速度記憶部１２のメモリに記憶されている。なお、このメモリは、コンピュータである制御装置１が有する不揮発性のメモリの一部を利用することができる。
【００２６】
（動作）
次に、制御装置１の動作について、図１〜図５を参照して説明する。
【００２７】
加速度比較部１１は、加速度算出部１３から出力される実際の加速度情報と、目標加速度補正部１３から伝達される補正後の目標加速度とを比較し、その差分がどれくらいであるかを示す情報をアクセル開度計算部１０に伝達する。
【００２８】
アクセル開度計算部１０の基本的な制御は、アクセルペダル操作情報から運転者が要求するアクセル開度を検出し、そのアクセル開度をエンジンＥＣＵ１５に対して指示することである。この際に、アクセル開度計算部１０は、アクセル制御がＯＮ状態（すなわち不図示のアクセル制御スイッチがＯＮ状態）であれば、加速度比較部１１から出力される実際の加速度情報と目標加速度とのプラス側の差分（すなわち目標加速度を実際の加速度が超えている分）が無くなるように制御を行う。さらに、アクセル開度計算部１０は、方向指示器の操作、オートクルーズの操作、またはＡＢＳの制御の情報にしたがって、これらの操作または制御が行われているときには、アクセルペダル操作情報から検出した運転者が要求するアクセル開度を、そのままアクセル開度制御指示としてエンジンＥＣＵ１５に対して出力する。
【００２９】
また、アクセル開度計算部１０は、アクセル制御がＯＦＦ状態（すなわち不図示のアクセル制御スイッチがＯＦＦ状態）であるときにもアクセルペダル操作情報から検出した運転者が要求するアクセル開度を、そのままアクセル開度制御指示としてエンジンＥＣＵ１５に対して出力する。
【００３０】
目標加速度記憶部１４には、図２に示すように、車速に対応する目標加速度の情報が予め記憶されている。目標加速度は、図２に示すように、車両の発進に際し、比較的大きな加速度を必要とするので、車速が小さいほど目標加速度は、大きく設定されている。また、目標加速度は、低燃費で走行することを前提として急加速にならないように控え目に設定されている。
【００３１】
さらに、目標加速度補正部１３には、図３に示すように、エンジン回転速度に対応するゲインの情報が予め記憶されている。ゲインは、図３に示すように、エンジン回転速度が所定の値（図３では１６００ｒｐｍ(round per minutes）付近)を超えると、急に低下するように設定されている。目標加速度補正部１３は、目標加速度記憶部１４に記憶されている目標加速度に対し、エンジン回転速度に応じたゲインを乗算した補正後の目標加速度を加速度比較部１１に伝達する。すなわち、目標加速度補正部１３は、エンジンの回転速度が所定の値を超えるときには、目標加速度記憶部１４に記憶されている目標加速度を引き下げるように制御する。
【００３２】
ここで、アクセル開度計算部１０の動作を図４のフローチャートを参照しながら説明する。車両のキースイッチがＯＮ状態であるときに、コンピュータである制御装置１にアクセル開度計算部１０の機能が実現される。さらに、制御装置１のアクセル制御もＯＮ状態であるときにＳＴＡＲＴの条件が整う。なお、図４のフローチャートにおけるＳＴＡＲＴからＥＮＤまでの処理は、１周期分の処理であり、上述のＳＴＡＲＴの条件が整っていれば、処理は繰り返し実行される。
【００３３】
ステップＳ１：アクセル開度計算部１０は、アクセルペダルの操作情報を取得してステップＳ２の手続きに進む。
【００３４】
ステップＳ２：アクセル開度計算部１０は、取得したアクセルペダルの操作情報に基づいてアクセルの要求開度を計算してステップＳ３の手続きに進む。アクセルペダルの操作情報に基づいてアクセルの要求開度を計算する方法としては、アクセルペダルの踏み込み量に対応するアクセルの要求開度が記録されたテーブルなどを用いる方法がある。
【００３５】
ステップＳ３：アクセル開度計算部１０は、加速度比較部１１から伝達される補正後の目標加速度と実際の加速度との差分情報を取得してステップＳ４の手続きに進む。なお、目標加速度補正部１３におけるゲインが「１」であるときには、補正後の目標加速度は、目標加速度記憶部１４に記憶されている目標加速度そのものになる。
【００３６】
ステップＳ４：アクセル開度計算部１０は、加速度比較部１１から伝達された差分情報がプラスか否かを判定する。ステップＳ４において、差分情報がプラスであると判定されると、手続きは、ステップＳ５に進む。一方、ステップＳ４において、差分情報がゼロ以下であると判定されると、手続きは、ステップＳ８に進む。
【００３７】
ステップＳ５：アクセル開度計算部１０は、アクセル制御を解除するに相当する情報の有無を判定する。ここで、アクセル制御を解除するに相当する情報とは、前述したように、方向指示器の操作、オートクルーズの操作、またはＡＢＳの制御の情報である。ステップＳ５において、アクセル制御を解除するに相当する情報が無いと判定されると、手続きは、ステップＳ６に進む。一方、ステップＳ５において、アクセル制御を解除するに相当する情報が有ると判定されると、手続きは、ステップＳ８に進む。
【００３８】
ステップＳ６：アクセル開度計算部１０は、エンジンＥＣＵ１５へのアクセル制御指示における指示開度を、要求開度未満として、ステップＳ７の手続きに進む。
【００３９】
ステップＳ７：アクセル開度計算部１０は、加速度比較部１１から伝達された差分情報がゼロ以下か否かを判定する。ステップＳ７において、差分情報がゼロ以下であると判定されると、１周期分の処理を終了する（ＥＮＤ）。一方、ステップＳ７において、差分情報がゼロ以下でない（すなわちプラス）と判定されると、手続きは、ステップＳ９に進む。
【００４０】
ステップＳ８：アクセル開度計算部１０は、エンジンＥＣＵ１５へのアクセル制御指示における指示開度を、要求開度のままとして、１周期分の処理を終了する（ＥＮＤ）。
【００４１】
ステップＳ９：アクセル開度計算部１０は、エンジンＥＣＵ１５へのアクセル制御指示における指示開度を、さらに低減させて、ステップＳ７の手続きに戻る。
【００４２】
次に、制御装置１の制御による車両の走行時の車速、加速度、およびエンジン回転速度の関係を図５に示す。図５では、太い実線により目標加速度２０を示し、破線によりゲイン２１を示し、細い実線により補正後の目標加速度（すなわち、目標加速度×ゲイン）２２を示し、一点鎖線によりエンジン回転速度２３を示す。さらに、縦の破線により時刻ｔ１〜ｔ６を示す。
【００４３】
図５の例では、時刻ｔ１で、時速１０ｋｍ／ｈ付近からエンジン回転速度２３（一点鎖線）が急に立ち上がっている。このときに運転者は、車両を加速させるために、アクセルペダルを大きく踏み込む操作を行っている。続いて、時刻ｔ２で、ゲイン２１（破線）が急に落ち込むと共に、補正後の目標加速度２２（細い実線）も急に落ち込んでいる。これは、エンジン回転速度が図３に示す１６００ｒｐｍ付近に達したことで、ゲイン２１が急に低下したことに起因する。すなわち、目標加速度補正部１３は、エンジンの回転速度が所定の値を超えるときには、目標加速度記憶部１４に記憶されている目標加速度を引き下げるように制御する。
【００４４】
やがて時刻ｔ３で、ゲイン２１の曲線の降下率は、緩やかになる。これは、エンジン回転速度が図３に示す２０００ｒｐｍ付近を超えたことで、ゲイン２１が横ばい状態になったことに起因する。なお、図５において、ゲイン２１と補正後の目標加速度２２は、ほぼ同じように変化している。
【００４５】
図４に示すように、時刻ｔ２から時刻ｔ３までの補正後の目標加速度２２と時刻ｔ３以降の補正後の目標加速度２２とを比べると、時刻ｔ３以降の補正後の目標加速度２２は、時刻ｔ２から時刻ｔ３までの補正後の目標加速度２２よりもさらに低く、しかも時刻ｔ３以降では、ほぼ横ばい状態になる。このときの矢示の傾きで示したエンジン回転速度の上昇率Ａ１、Ｂ１を比較した場合、Ａ１＞Ｂ１である。このときの運転者のアクセルペダルの踏み込み量は、時刻ｔ１〜ｔ３以降まで一定であるものとする。
【００４６】
エンジン回転速度の上昇率がＡ１からＢ１へと変化する時刻ｔ３では、運転者の体感的には、時刻ｔ３を境にして加速感が急に抜ける感じになる。運転者は、加速感が急に抜けたことを体感し、これによりシフトタイミングの到来を知ることができる。
【００４７】
そこで運転者は、時刻ｔ４でシフトアップの操作を行う。このときに、運転者は、アクセルペダルを解放するのでエンジン回転速度は低下する。これにより、ゲイン２１は、いったん「１」に戻るため、補正後の目標加速度２２も、いったん目標加速度２０まで収束する。時刻ｔ４でシフトアップが完了すると、運転者は、再びアクセルペダルを踏み込むので、エンジン回転速度も再び上昇を開始する。このときに運転者は、アクセルペダルを大きく踏み込む操作を行っている。
【００４８】
続いて、時刻ｔ５で、ゲイン２１の曲線が急に落ち込むと共に、補正後の目標加速度２２の曲線も急に落ち込んでいる。これは、エンジン回転速度が図３に示す１６００ｒｐｍ付近に達したことで、ゲイン２１が急に低下したことに起因する。やがて時刻ｔ６で、ゲイン２１の曲線の降下率は、緩やかになる。これは、エンジン回転速度が図３に示す２０００ｒｐｍ付近を超えたことで、ゲイン２１が横ばい状態になったことに起因する。なお、図５において、ゲイン２１と補正後の目標加速度２２は、ほぼ同じように変化している。
【００４９】
図５に示すように、時刻ｔ５から時刻ｔ６までの補正後の目標加速度２２と時刻ｔ６以降の補正後の目標加速度２２とを比べると、時刻ｔ６以降の補正後の目標加速度２２は、時刻ｔ５から時刻ｔ６までの補正後の目標加速度２２よりもさらに低く、しかも時刻ｔ６以降では、ほぼ横ばい状態になる。このときのエンジン回転速度の上昇率Ａ２、Ｂ２を比較した場合、Ａ２＞Ｂ２である。このときの運転者のアクセルペダルの踏み込み量は、時刻ｔ４〜ｔ６以降まで一定であるものとする。
【００５０】
エンジン回転速度の上昇率がＡ２からＢ２へと変化する時刻ｔ６では、運転者の体感的には、時刻ｔ６を境にして加速感が急に抜ける感じになる。運転者は、加速感が急に抜けたことを体感し、これによりシフトタイミングの到来を知ることができる。以降の説明は、前述したものと同様であるので、説明は省略する。
【００５１】
このようにして、ローギヤからトップギヤまでのシフトアップ操作が行われる。なお、ギヤ比が小さいギヤ段数では、アクセル開度の変化による車速の変化は鈍くなるため、エンジン回転速度の上昇率の変化も小さくなる。
【００５２】
（効果）
制御装置１は、マニュアルトランスミッションを有する車両に搭載され、車両の車速に対応して予め設定されている目標加速度を、実際の加速度が超えるときには、目標加速度に実際の加速度が近付くようにアクセル開度の調整を行うアクセル開度計算部１０を有することにより、目標加速度記憶部１４に記憶されている目標加速度は、低燃費で走行することを前提として設定されているので、アクセル開度計算部１０の制御によれば、たとえば運転者が波状なアクセルペダルの操作や過大なアクセルペダルの踏み込み操作を行った場合でも波状の加速度の変化や過大な急加速を抑え、燃費を低く抑えることができる。
【００５３】
また、制御装置１による上述した制御は、車速から算出される加速度に基づき行われる。したがって、各種センサを設置する必要はなく、データ算出処理、および諸元データの記憶も不要である。これによれば、上述した第一の問題点を解決することができる。
【００５４】
さらに、制御装置１は、図３に示すゲインを用いて、車両のエンジンの回転速度が所定の値を超えるときには、目標加速度を引き下げるように制御することができるので、これによれば、いわゆる「ローで引っ張る」と言われているような、ギヤ比が大きいギヤ段数で、高いエンジン回転速度を維持したままで、車両の車速を高めるような運転を運転者が行わないようにさせることができる。これによっても車両の発進時または変速時の燃費を低く抑えることができる。
【００５５】
また、制御装置１は、車両のエンジンの回転速度が所定の値を超えるときには、目標加速度を引き下げるように制御することができるので、エンジンの回転速度が高くなるシフトタイミングに合わせて、目標加速度が引き下げられる。これにより、制御装置１の制御によれば、図５の時刻ｔ３、ｔ６に示すように、シフトタイミングを体感により運転者に知らせることができる。これによって、前方を注視している運転者がモニタの表示を見落としたり、周囲の騒音によりシフトタイミングを知らせる音声を聞き漏らす可能性は無くなり、上述した第二の問題点を解決することができる。また、これによれば、運転者は、燃費節約のために最適なシフトタイミングを確実に認識することができるので、これによっても燃費の削減を図ることができる。
【００５６】
さらに、制御装置１は、図４のステップＳ５の「Ｎｏ」の処理のように、車両における所定の操作または制御が実施されているときには、アクセル開度の調整は行わないようにできる。ここで、所定の操作または制御とは、方向指示器の操作、オートクルーズの操作、またはＡＢＳの制御などである。これらの操作または制御が行われているときには、アクセルペダル操作情報から検出した運転者が要求するアクセル開度を、そのままアクセル開度制御指示としてエンジンＥＣＵ１５に対して出力することにより、ドライバビリティを良好にすることができる。
【００５７】
たとえば、方向指示器が操作されている状況は、追い越しのための車線変更など、運転者が大きな加速度を車両に要求している状況である。このような状況下では、目標加速度を無視して運転者の要求どおりの加速度で車両を加速させることができる。また、オートクルーズが働いている期間は、加速も減速も行われないため、目標加速度を無視してオートクルーズの要求どおりに車両を走行させることができる。また、ＡＢＳなどが車輪のスリップを検出したときには、スリップ脱出のために、エンジン回転速度を上げる必要が生じるので、目標加速度を無視して運転者の要求どおりのアクセル開度とすることができる。
【００５８】
（その他の実施の形態）
図４のフローチャートでは、アクセル開度計算部１０は、ステップＳ４で「差分はプラスか？」とし、ステップＳ７で「差分はゼロ以下か？」とし、加速度比較部１１から伝達された目標加速度と実際の加速度との差分がゼロであるポイントを境界点にして制御の切り替えを実施した。これに対し、境界点をまたいで差分が上下するような場合、制御の切り替えが頻繁に発生することを防ぐために、たとえばステップＳ４で「差分は＋０．５か？」とし、ステップＳ７で「差分は−０．５か？」などとして、境界点に応差（ヒステリシス）を設けてもよい。
【００５９】
また、制御装置１によるアクセル制御において、エンジン回転速度の立ち上がりからアクセル制御が開始されるまでに、一定の期間を設けてもよい。これによれば、エンジン回転速度の立ち上がりでは、アクセル制御が未だ開始されておらず、エンジン回転速度立ち上がりのドライバビリティを運転者の要求どおりとすることができる。これにより、運転者が加速感のドライバビリティに違和感を覚える状況を緩和させることができる。
【００６０】
また、制御装置１によって実行されるプログラムは、制御装置１にあらかじめインストールされると説明したが、プログラムが記録されている（プログラムを記憶している）リムーバブルメディアを図示せぬドライブなどに装着し、リムーバブルメディアから読み出したプログラムを制御装置１の内部の不揮発性のメモリに記憶することにより、または、有線または無線の伝送媒体を介して送信されてきたプログラムを、図示せぬ通信部で受信し、制御装置１の内部の不揮発性のメモリに記憶することで、コンピュータである制御装置１にインストールすることができる。
【００６１】
なお、コンピュータが実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００６２】
また、本発明の実施の形態は、上述した実施の形態に限定されるものではなく、本発明の要旨を逸脱しない範囲において種々の変更が可能である。
【符号の説明】
【００６３】
１…制御装置、１０…アクセル開度計算部（制御手段）、１１…加速度比較部、１２…加速度算出部、１３…目標加速度補正部、１４…目標加速度記憶部
【図１】
0005780837.tif 000002
【図２】
0005780837.tif 000003
【図３】
0005780837.tif 000004
【図４】
0005780837.tif 000005
【図５】
0005780837.tif 000006